(57)【要約】【課題】  運転者の個々のカーブ走行における技量による操舵特性の相違に基づいて、運転特性に則した運転技量判定を実施でき、運転技量に合致した最適な舵角比制御を行うことができる車両用操舵制御装置を提供する。【解決手段】  運転者技量判定回路２５は、走行履歴記憶装置２４に記憶された特定の走行位置を複数回走行した場合の複数回分の走行履歴における操舵角の極大値と、その時のヨーレートの極大値との組み合わせが一意であるほど、運転者の運転技量が高いと判定し、舵角比設定装置２６は、判定された運転者の技量が高いほど、道路線形が示す曲率半径に応じて設定される舵角比の最大値と最小値との差異が大きくなるように、舵角比を設定する。【選択図】        図２
2006111226.tif 000002
【特許請求の範囲】
【請求項１】
ステアリング操作手段の操舵角を検出する操舵角検出手段と、
前記操舵角に対する操向輪の転舵角の比である舵角比の特性を任意に設定する舵角比設定手段と、
を備えた車両用操舵制御装置において、
車両の運動状態を検出する車両運動検出手段と、
前記車両運動と前記操舵角との組み合わせから、運転者の個々のカーブ走行における技量による操舵特性の相違に基づいて、運転技量を判定する運転者技量判定手段と、
を備え、
前記舵角比設定手段は、前記運転技量に応じて、舵角比を設定することを特徴とする車両用操舵制御装置。
【請求項２】
請求項１に記載の車両用操舵制御装置において、
前記車両運動検出手段は、車両のヨーレートを検出するヨーレートセンサであることを特徴とする車両用操舵制御装置。
【請求項３】
請求項２に記載の車両用操舵制御装置において、
車両の走行位置を検出する走行位置検出手段と、
過去の走行における前記操舵角に対する前記ヨーレートの組み合わせを、前記走行位置に関連させて走行履歴記憶手段に記憶する走行履歴管理手段と、
を備え、
前記運転者技量判定手段は、記憶された特定の走行位置を複数回走行した場合の複数回分の走行履歴における操舵角の極大値と、その時のヨーレートの極大値との組み合わせが一意であるほど、運転者の運転技量が高いと判定することを特徴とする車両用操舵制御装置。
【請求項４】
請求項３に記載の車両用操舵制御装置において、
前記走行位置検出手段は、車両の走行する位置における道路線形を検出する道路線形検出手段を備え、
前記走行履歴管理手段は、過去の走行における前記操舵角に対する前記ヨーレートの組み合わせを、前記走行位置と前記道路線形とに関連させて走行履歴記憶手段に記憶させ、
前記運転者技量判定手段は、記憶された走行位置の道路線形が前記道路線形検出手段により検出された場合に、互いに類似した道路線形である複数の走行位置を走行した場合の複数回分の走行履歴に対する操舵角の極大値と、その時のヨーレートの極大値との組み合わせが一意であるほど、運転者の運転技量が高いと判定することを特徴とする車両用操舵制御装置。
【請求項５】
請求項４に記載の車両用操舵制御装置において、
前記走行位置検出手段は、ナビゲーション装置であることを特徴とする車両用操舵制御装置。
【請求項６】
請求項４または請求項５に記載の車両用操舵制御装置において、
前記舵角比設定手段は、判定された運転者の運転技量が高いほど、前記道路線形が示す曲率半径に応じて設定される舵角比の最大値と最小値との差異が大きくなるように、前記舵角比を設定することを特徴とする車両用操舵制御装置。
【請求項７】
請求項４ないし請求項６のいずれか１項に記載の車両用操舵制御装置において、
前記運転者技量判定手段は、記憶された操舵角の極大値と、その時のヨーレートの極大値との組み合わせが一致する複数の組み合わせを任意に選択した場合に、その組み合わせに関連付けて記憶された走行位置が、特定の走行位置または特定の走行位置と類似した道路線形である走行位置、である確率が高いほど、運転者の運転技量が高いと判定することを特徴とする車両用操舵制御装置。
【請求項８】
請求項４ないし請求項７のいずれか１項に記載の車両用操舵制御装置において、
車両が走行している時の路面状況、気象状況または昼夜状況の少なくとも１つを車両の走行環境として検出する走行環境検出手段を備え、
前記走行履歴管理手段は、過去の走行における前記操舵角に対する前記ヨーレートの組み合わせを、前記走行位置と前記走行環境とに関連させて前記走行履歴記憶手段に記憶させ、
前記運転者技量判定手段は、記憶された特定の走行位置とその時の走行環境、または特定の走行経路に類似した道路線形である走行位置とその時の走行環境を、複数回走行した場合の走行履歴における操舵角の極大値と、その時のヨーレートの極大値との組み合わせが一意であるほど、運転者の操舵技量が高いと判定することを特徴とする車両用操舵制御装置。
【請求項９】
請求項４ないし請求項８のいずれか１項に記載の車両用操舵制御装置において、
前記運転者技量判定手段は、記憶された特定の走行位置、または特定の走行経路に類似した道路線形である走行位置を、複数回走行した場合の走行履歴における操舵角の極大値と、その時のヨーレートの極大値との組み合わせをクラスター分析した際に生成される複数個のクラスのうち、同一クラスに分類された操舵角の極大値およびヨーレートの極大値それぞれの類似度が高く、かつ、異なるクラスに分類された操舵角の極大値およびヨーレートの極大値それぞれの非類似度が高いほど、運転者の運転技量が高いと判定することを特徴とする車両用操舵制御装置。
【発明の詳細な説明】
【技術分野】
【０００１】
本発明は、運転者の操舵量に対する操向輪の転舵量の比である舵角比を任意に設定する舵角比設定手段を備えた車両用操舵制御装置の技術分野に属する。
【背景技術】
【０００２】
従来の車両用操舵制御装置としては、走行中の操舵角とその時に車両に発生しているヨーレートのパターンから、あらかじめ設定されたドライバ技量判定用マップを参照して運転者の運転技量を推定し、その推定情報に基づいて、操舵ゲインを設定するものが知られている。これにより、運転技量の低いドライバには、走行性や操縦安定性の確保された制御を提供し、運転技量の高いドライバには、操縦感覚に合致した制御を提供しようとするものである（例えば、特許文献１参照）。
【特許文献１】特開平６−１９９１５６号公報
【発明の開示】
【発明が解決しようとする課題】
【０００３】
しかしながら、連続したカーブを走行する場合など、状況変化の多い環境を走行する場合には、熟練したドライバは状況変化に適宜対応した操舵を行うことが可能であるが、一般的なドライバは、個々の状況変化に対する応答精度において、熟練したドライバに劣る傾向がある。すなわち、一般的なドライバは、熟練したドライバに対し、個々のカーブにおける操舵の特徴が曖昧となるため、あらかじめ設定されたマップを用いて運転技量を判定する上記従来技術では、運転技量の推定が不正確であるという問題があった。
【０００４】
本発明は、上記従来技術の問題に着目してなされたもので、その目的とするところは、運転者の個々のカーブ走行における技量による操舵特性の相違に基づいて、運転特性に則した運転技量判定を実施でき、運転技量に合致した最適な舵角比制御を行うことができる車両用操舵制御装置を提供することにある。
【課題を解決するための手段】
【０００５】
上述の目的を達成するため、本発明では、
ステアリング操作手段の操舵角を検出する操舵角検出手段と、
前記操舵角に対する操向輪の転舵角の比である舵角比の特性を任意に設定する舵角比設定手段と、
を備えた車両用操舵制御装置において、
車両の運動状態を検出する車両運動検出手段と、
前記車両運動と前記操舵角との組み合わせから、運転者の個々のカーブ走行における技量による操舵特性の相違に基づいて、運転技量を判定する運転者技量判定手段と、
を備え、
前記舵角比設定手段は、前記運転技量に応じて、舵角比を設定することを特徴とする。
【発明の効果】
【０００６】
本発明によれば、運転者の個々のカーブ走行における技量による操舵特性の相違に基づいて運転技量を判定するため、運転特性に則した運転技量を判定できるとともに、運転技量に合致した最適な舵角比制御を行うことができる。
【発明を実施するための最良の形態】
【０００７】
図１は、本発明の実施の形態に係る車両用運転支援装置を示す図である。
走行位置検出手段１０は、車両の走行位置を検出する。車両運動検出手段１１は、車両の運動状態を検出する。操舵角検出手段１２は、ステアリングホイール（ステアリング操作手段）の操舵角を検出する。
【０００８】
走行履歴管理手段１３は、過去の走行における操舵角に対するヨーレートの組み合わせを、走行位置と走行環境とに関連させて走行履歴記憶手段１４に記憶させる。
【０００９】
運転者技量判定手段１５は、走行履歴記憶手段１４に記憶された車両運動と操舵角の組み合わせから、運転者が個々のカーブ走行における技量による操舵特性の相違に基づいて、運転技量を判定する。
【００１０】
舵角比設定手段１６は、判定された運転者の運転技量に応じて、操舵角に対する操向輪の転舵角の比である舵角比を設定する。具体的には、判定された運転者の技量が高いほど、道路線形が示す曲率半径に応じて設定される舵角比の最大値と最小値との差異が大きくなるように、舵角比を設定する。
【００１１】
走行環境検出手段１７は、車両が走行しているときの路面状況、気象状況または昼夜状況の少なくとも１つを車両の走行環境として検出する。
【００１２】
以下に、本発明の車両用運転支援装置を実施するための最良の形態を、実施例１〜４に基づいて説明する。
【実施例１】
【００１３】
図２は、実施例１に係る車両用操舵制御装置のブロック構成図である。
実施例１の車両用操舵制御装置は、ナビゲーション装置２０、ヨーレートセンサ２１、操舵角センサ２２、走行履歴管理回路２３、走行履歴記憶装置２４、運転者技量判定回路２５および舵角比設定装置２６を備えている。
【００１４】
ナビゲーション装置２０は、図１の走行位置検出手段１０に対応する。また、ヨーレートセンサ２１は車両運動検出手段１１に、操舵角センサ２２は操舵角検出手段１２に対応する。さらに、走行履歴管理回路２３は走行履歴管理手段１３に、走行履歴記憶装置２４は走行履歴記憶手段１４に、運転者技量判定回路２５は運転者技量判定手段１５に、舵角比設定装置２６は舵角比設定手段１６にそれぞれ対応する。
【００１５】
ナビゲーション装置２０は、構成としてGPS、地図データ保持装置を備えたものであり、実施例１の場合、車両の走行している位置の緯度、および、経度を出力可能なものとする。また、ヨーレートセンサ２１は、車両のヨーレートを検出する。
【００１６】
次に、作用を説明する。
［舵角比設定制御処理］
図３は、実施例１の舵角比設定制御処理の流れを示すフローチャートで、以下、各ステップについて説明する。なお、この処理は、イグニッションスイッチのオンからオフまで、所定の制御周期毎に実行される。
【００１７】
ステップS100では、ナビゲーション装置２０において、車両が走行している地理上の位置を検出し、ステップS101へ移行する。
【００１８】
ステップS101では、操舵角センサ２２によって、運転者がステアリングホイールを回転させた角度である操舵角を検出し、ステップS102へ移行する。
【００１９】
ステップS102では、ヨーレートセンサ２１によって、車両のヨーレートを検出し、ステップS103へ移行する。
【００２０】
ステップS103では、走行履歴管理回路２３において、ステップS100からステップS102で検出した車両の走行位置と、その時の操舵角と、車両に生じているヨーレートとを関連付け、走行履歴記憶装置２４に保存し、ステップS104へ移行する。この際、実施例１では、車両がカーブを走行している場合に特化し、図４に示すように、操舵角またはヨーレートの値がゼロから増加（減少）し、再びゼロになるまでの区間をカーブ走行の区間とし、その区間の車両位置を示す緯度および経度と、操舵角、ヨーレートの時系列変化の履歴を走行履歴として走行履歴記憶装置２４に保存する。なお、実施例１においては、車両位置および操舵角、ヨーレートの履歴の収集は、特定のカーブ区間のみではなく、走行経路における全てのカーブ区間に対して収集する。
【００２１】
ステップS104では、走行履歴管理回路２３において、走行履歴記憶装置２４を参照することで車両走行の回数をカウントし、走行回数がN回に達しているか否かを判定する。YESの場合にはステップS105へ移行し、NOの場合にはリターンへ移行する。実施例１における走行回数は、車両が既定の出発地を出発してから既定の目的地に到達するまでの回数を１回とする。なお、実施例１においては、車両が既定の出発地を出発してから既定の目的地に到達するまでの判断を、ステップS100においてナビゲーション装置２０にて検出した車両の位置によって行うが、簡易的には、イグニションスイッチのオン／オフを検出することによって、車両が既定の出発地を出発してから既定の目的地に到達するまでの判断を実施してもよい。
【００２２】
ステップS105では、運転者技量判定回路２５において、運転者の運転技量を判定し、ステップS106へ移行する。運転技量の判定は、走行履歴記憶装置２４に記憶された走行履歴に基づいて、以下の３段階の処理を経て行われる。
【００２３】
まず、第１段階では、ステップS103で検出して走行履歴記憶装置２４に記憶された特定のカーブにおける走行履歴に基づいて、運転者の技量判定を行う。実施例１の場合、ステップS104の説明に記したように、車両が走行する経路は予め既定されており、従って、その経路上に存在するカーブの数もM個と予め既定可能である。一般に、カーブの走行において運転技量が熟練するほど、特定のカーブにおいて運転者がステアリングホイールを操舵する操舵角と、車両に発生するヨーレートに、ばらつきが小さくなる傾向がある。そこで、実施例１では、運転者技量判定回路２５において、走行履歴記憶装置２４に記憶されたM個のカーブから、任意に一つのカーブを検索し、そのカーブに関連して記憶されている操舵角とヨーレートの時系列変化におけるそれぞれの極大値の組（ζsij,ζyij）,（i=１,２,…N、jは１〜Mの任意の値）を抽出する。さらに、抽出された操舵角とヨーレートのN組の極大値について分散（σsj,σyj）を算出する。本分散の値が小さいほど、運転者の運転技量は熟練している。
【００２４】
続いて、第２段階では、ステップS103で検出して走行履歴記憶装置２４に記憶された操舵角とヨーレートの時系列変化に基づいて、運転者の技量判定を行う。一般に、カーブの走行において運転技量が熟練するほど、運転者がステアリングホイールを操舵した操舵角の極大値と、車両に発生するヨーレートの極大値の組み合わせが同一であれば、同一のカーブを走行している確率が高くなる傾向がある。そこで、実施例１では、運転者技量判定回路２５において、走行履歴記憶装置２４に記憶されたM個のカーブのそれぞれについて、カーブに関連して記憶されている操舵角とヨーレートの時系列変化におけるそれぞれの極大値の組（ζsij,ζyij）,（i=１,２,…,N,j=１,２,…,M）を抽出して、カーブごとに平均値(avζsj，sjavζyj)を算出する。
【数１】
2006111226.tif 000003
【００２５】
さらに、それぞれのカーブの平均値(avζsj，avζyj)間についてマハラノビスの距離dkl,（k,l=１,２,…,M）を算出し、距離の全組み合わせについて和算する。本和の値が大きいほど、運転者の運転技量は高い。
【数２】
2006111226.tif 000004
【００２６】
第３段階では、第１段階および第２段階で算出した各値に基づき、運転者の運転技量を総合的に判定する。例えば、操舵角の分散の逆数と距離の和の組（１/σsj  ,D）を図５に示すマップに、ヨーレートの分散の逆数と距離の和の組（１/σyj  ,D）を図６に示すマップに参照することで、運転者の運転技量を判定する。操舵角による判定とヨーレートによる判定が異なる場合には、判定結果の悪い方を選択して判定する。
【００２７】
ステップS106では、ステップS105で判定した運転者の運転技量に基づき、舵角比設定装置２６において、舵角比を設定し、リターンへ移行する。ここで、舵角比の設定は、例えば、図７に示す舵角比設定マップを参照し、ステップS105で判定した運転者の運転技量に合致した舵角比に設定する。図７に示すように、舵角比は、判定された運転者の技量が高いほど、道路線形が示す曲率半径Rに応じて設定される舵角比の最大値と最小値との差異が大きくなるように、舵角比を設定する。
【００２８】
［従来技術］
操舵量に対する転舵量の割合（以後、「舵角比」と称する）を変化させる車両用操舵制御装置の開発がなされている。昨今、車両の運転をより容易なもの、また、車両走行上の安定性を向上させる事を目的として、車両に備え付けられた各種センサにより、車両周囲の環境情報や、車両の状態情報、運転者の状態情報を収集し、それら情報に基づいて、舵角比を変化させる技術が開発されている。
【００２９】
例えば、特開平１１-３１０１４６号公報に記載の車両用操舵制御装置では、車両周囲の環境情報としてナビゲーション装置等を用いてカーブの状態を検知し、その状態に応じて操舵ゲインを設定している。これにより、カーブの状態に応じて舵角比を好適に設定することが可能となり、カーブ走行時におけるハンドル操作性の向上を図るものである。
【００３０】
一方で、走行性や操縦安定性を考慮したとき、カーブ走行における操舵ゲインの設定は、カーブの状態のみならず、ドライバの技量によっても変化させる必要があると言われている。そこで、このような考え方に基づき、特開平６-１９９１５６号公報に記載の自動車用制御装置の制御ゲイン変更装置では、走行中の操舵角とその時に車両に発生しているヨーレートのパターンから、あらかじめ設定されたドライバ技量判定用マップを参照して運転者の運転技量を推定し、その推定情報に基づいて、操舵ゲインを設定している。これにより、運転技量の低いドライバには、走行性や操縦安定性の確保された制御を提供し、運転技量の高いドライバには、操縦感覚に合致した制御を提供しようとするものである。
【００３１】
［従来技術の問題］
昨今のドライバの運転行動研究により、ドライバの操舵行動の技量差において以下のような特徴があることが判っている。すなわち、状況変化の少ない安定した環境においては、運転初心者の操舵は常に修正的であり不安定な操舵を行うが、一般的な運転技量を持つドライバは熟練したドライバと比較しても、さほど相違のない操舵を行う。一方、連続したカーブを走行する場合など、状況変化の多い環境を走行する場合には、熟練したドライバは、状況変化に適宜対応した操舵を行うことが可能であるが、一般的なドライバは、個々の状況変化に対する応答の精度において、熟練したドライバに劣る傾向がある。
【００３２】
例えば、図１８(a)および図１８(b)は、それぞれ熟練したドライバと一般的なドライバが、曲率の異なる連続した４つのカーブを含むコースを５回ずつ走行した時のデータであり、横軸に操舵角、縦軸にヨーレートをプロットしたものである。熟練したドライバと一般ドライバは、操舵角とヨーレートのグラフにおいてほぼ同様の領域を占めているが、図１８(a)に示した熟練したドライバのデータは個々のカーブにおける操舵の特徴が顕在しているのに対して、図１８(b)に示した一般ドライバのデータは個々のカーブにおける操舵の特徴が曖昧である。このことは、特開平６-１９９１５６号公報に記載の自動車用制御装置の制御ゲイン変更装置に記載の方法を用いた場合に、分類できない運転技量の差が存在することを示している。
【００３３】
［運転技量に応じた舵角比変更作用］
これに対し、実施例１の車両用操舵制御装置では、走行履歴管理手段としての走行履歴管理回路２３を設けることによって、日常的に走行する環境においてカーブ区間を抽出し、そのカーブ区間において運転者がステアリングホイールを操舵したときの角度である操舵角と、そのときに車両に発生しているヨーレートを関連付けて記憶するようにしたので、カーブ区間ごとに走行履歴を管理することが可能となった。
【００３４】
また、運転者技量判定手段としての運転者技量判定回路２５を設け、運転者技量判定回路２５において、走行履歴管理回路２３によって管理された走行履歴から、個々のカーブ区間の操舵角とヨーレートの極大値の分散（σsj,σyj）と平均値(avζsj，sjavζyj)、およびカーブ区間の平均値の距離Dを算出するようにしたので、運転が熟練するほどカーブごとの操舵のばらつきが少なく、かつ、カーブごとに操舵の仕方を変化させるという、運転者の操舵の技量に応じた特徴に基づく運転者の技量判定を実施することが可能となった。
【００３５】
さらに、舵角比設定手段としての舵角比設定装置２６において、判定された運転技量が高いほど、道路線形が示す曲率半径Rに応じて設定される舵角比の最大値と最小値との差異が大きくなるように設定するため、運転技量が高いほど曲率半径Rの変化に対する舵角比変化が大きく、運転技量が低いほど曲率半径Rの変化に対する舵角比変化が緩やかとなる。よって、運転技量の低いドライバには、走行性や操縦安定性の確保された舵角比制御を提供でき、運転技量の高いドライバには操縦感覚に合致した舵角比制御を提供できる。
【００３６】
次に、効果を説明する。
実施例１の車両用操舵制御装置にあっては、以下に列挙する効果が得られる。
【００３７】
(1) ステアリングホイールの操舵角を検出する操舵角センサ２２と、操舵角に対する操向輪の転舵角の比である舵角比の特性を任意に設定する舵角比設定装置２６と、を備えた車両用操舵制御装置において、車両の運動状態（ヨーレート）を検出する車両運動検出手段（ヨーレートセンサ２１）と、車両運動と操舵角との組み合わせから、運転者の個々のカーブ走行における技量による操舵特性の相違に基づいて、運転技量を判定する運転者技量判定回路２５と、を備え、舵角比設定装置２６は、運転技量に応じて、舵角比を設定するため、運転特性に則した運転技量を判定できるとともに、運転技量に合致した最適な舵角比制御を行うことができる。
【００３８】
(2) 車両運動検出手段は、車両のヨーレートを検出するヨーレートセンサ２１であるため、操舵角とヨーレートから簡便に運転者の運転技量が推定可能となる。
【００３９】
(3) 車両の走行位置を検出する走行位置検出手段（ナビゲーション装置２０）と、過去の走行における操舵角に対するヨーレートの組み合わせを、走行位置に関連させて走行履歴記憶装置２４に記憶する走行履歴管理回路２３と、を備え、運転者技量判定回路２５は、記憶された特定の走行位置を複数回走行した場合の複数回分の走行履歴における操舵角の極大値と、その時のヨーレートの極大値との組み合わせが一意であるほど、運転者の運転技量が高いと判定するため、熟練したドライバほど同一のカーブにおいてはばらつきの少ない操舵を行うという運転特性に則した運転技量の判定が可能となる。
【００４０】
(4) 走行位置検出手段は、ナビゲーション装置２０であるため、新たな装置を開発することなく、既存の装置を用いて走行位置の検出を簡便に実現できる。
【００４１】
(5) 舵角比設定装置２６は、判定された運転者の技量が高いほど、道路線形が示す曲率半径Rに応じて設定される舵角比の最大値と最小値との差異が大きくなるように、舵角比を設定するため、運転者の技量に合致した舵角比を提供できる。
【実施例２】
【００４２】
まず、構成を説明する。
図８は、実施例２に係る車両用操舵制御装置のブロック構成図である。この図において、基本構成は図２として示した実施例１のブロック構成図と同一であり、同符号を付して重複した説明は省略する。
【００４３】
この車両用操舵制御装置は、ナビゲーション装置３０、走行履歴管理回路３２および運転者技量判定回路３４を備えている。また、ナビゲーション装置３０は、道路線形検出回路３１を備えている。走行履歴管理回路３２は、線形類似度判定回路３３を備えている。
【００４４】
ナビゲーション装置３０は、図１の走行位置検出手段１０に対応し、走行履歴管理回路３２は、走行履歴管理手段１３に対応する。運転者技量判定回路３４は、運転者技量判定手段１５に対応する。
【００４５】
道路線形検出回路３１は、車両前方の道路線形を検出する。線形類似度判定回路３３は、カーブの線形を分類し、それぞれの線形に一意な番号を道路線形番号として付与したマップを道路線形マップとして保持する。そして、道路線形検出回路３１により検出されたカーブの線形を、道路線形マップに参照し、もっとも当てはまる道路線形の道路線形番号を走行履歴に付与し、走行履歴記憶装置２４に保存する。
【００４６】
次に、作用を説明する。
［舵角比設定制御作用］
図９は、実施例２の舵角比設定制御処理の流れを示すフローチャートで、以下、各ステップについて説明する。なお、この図において、基本的な処理の流れは図３に示す実施例１の処理の流れと同一であり、同符号を付して重複した説明は省略する。
【００４７】
ステップS200では、ナビゲーション装置３０の道路線形検出回路３１において、車両前方の道路線形を検出し、ステップS101へ移行する。具体的には、図１０に示すように、カーブの曲率半径、カーブの中心角、走行車線の幅、カーブの開始ラインおよびカーブの終了ラインを算出する。
【００４８】
ステップS201では、走行履歴管理回路３２において、ステップS100からステップS102で検出した車両の走行位置および道路線形と、その時の操舵角と、車両に生じているヨーレートとを関連付け、走行履歴記憶装置２４に保存し、ステップS202へ移行する。この際、実施例２では、車両がカーブを走行している場合に特化し、ステップS200の処理においてカーブ走行の区間を検出した場合に、その区間の車両位置を示す緯度および経度と、操舵角と、ヨーレートの時系列変化の履歴とを走行履歴として走行履歴記憶装置２４に保存する。
【００４９】
さらに、実施例２においては、走行履歴管理回路３２の線形類似度判定回路３３おいて、図１１に示すように、カーブの線形を分類し、それぞれの線形に一意な番号を道路線形番号として付与したマップを道路線形マップとして保持しており、本処理においては、ステップS200で算出した車両が走行しているカーブの線形を前記道路線形マップに参照し、もっとも当てはまる道路線形の道路線形番号を、前記走行履歴に付与して走行履歴記憶装置２４に保存する。
【００５０】
ステップS202では、走行履歴管理回路３２において、走行履歴記憶装置２４を参照することで運転技量の判定を行うか否かを判定する。具体的には、まず、走行履歴記憶装置２４に記憶させた走行履歴において、同じ前記道路線形番号を持つ走行履歴の数をカウントする。カウント数において上位M'種類の道路線形番号を持つ走行履歴の数が全てN'個以上であればYESとしてステップS203へ移行し、N'個に満たない場合にはNOとしてリターンへ移行する。
【００５１】
ステップS203では、運転者技量判定回路３４において、運転者の運転技量を判定し、ステップS106へ移行する。運転技量の判定は、走行履歴記憶装置２４に記憶された走行履歴に基づいて、以下の３段階の処理を経て行われる。
【００５２】
まず、第１段階では、ステップS201で検出して走行履歴記憶装置２４に記憶された走行履歴に基づいて、運転者の技量判定を行う。一般に、カーブの走行において運転技量が熟練するほど、特定のカーブにおいて運転者がステアリングホイールを操舵する操舵角と、車両に発生するヨーレートに、ばらつきが小さくなる傾向がある。そこで、実施例２では、運転者技量判定回路２５において、走行履歴記憶装置２４に記憶されていて、走行履歴のカウント数において上位M'種類の道路線形番号の中から、任意に一つの道路線形番号について、その道路線形番号を持つ走行履歴に関連して記憶されている操舵角とヨーレートの時系列変化におけるそれぞれの極大値の組（ζsi'j',ζyi'j'）,（i'=１,２,…N',j'は１〜M'の任意の値）を抽出する。さらに、抽出された操舵角とヨーレートのN'組の極大値について分散（σsj',σyj'）を算出する。本分散の値が小さいほど、運転者の運転技量は高い。
【００５３】
続いて、第２段階では、ステップS201で検出して走行履歴記憶装置２４に記憶された操舵角とヨーレートの時系列変化に基づいて、運転者の技量判定を行う。一般に、カーブの走行において運転技量が熟練するほど、運転者がステアリングホイールを操舵した操舵角の極大値と、車両に発生するヨーレートの極大値の組み合わせが同一であれば、同一のカーブを走行している確率が高くなる傾向がある。そこで、実施例２では、運転者技量判定回路２５において、走行履歴記憶装置２４に記憶されていて、走行履歴のカウント数において上位M'種類の道路線形番号の中から、任意に一つの道路線形番号について、その道路線形番号を持つ走行履歴に関連して記憶されている操舵角とヨーレートの時系列変化におけるそれぞれの極大値の組（ζsi'j',ζyi'j'）,（i'=１,２,…,N',j'=１,２,…,M'）を抽出して、カーブごとに平均値(avζsj'，avζyj')を、算出する。
【数３】
2006111226.tif 000005
【００５４】
さらに、それぞれのカーブの平均値(avζsj'，avζyj')間についてマハラノビスの距離dk'l',（k',l'=１,２,…,M'）を算出し、距離の全組み合わせについて和算する。本和の値が大きいほど、運転者の運転技量は高い。
【数４】
2006111226.tif 000006
【００５５】
第３段階では、第１段階、および、第２段階で算出した各値に基づき、運転者の運転技量を総合的に判定する。例えば、操舵角の分散と距離の和の組（σsj'  ,D' ）を図５に示すマップに、ヨーレートの分散と平均値の組（σyj'  ,D' ）を図６に示すマップに参照することで、運転者の運転技量を判定する。操舵角による判定とヨーレートによる判定が異なる場合には、判定結果の悪い方を選択して判定する。運転者の技量が判定されたならば、ステップS106に進む。
【００５６】
以上説明したように、実施例２によれば、走行履歴管理回路３２に線形類似度判定回路３３を設け、走行している環境における道路線形が、線形類似度判定回路３３に所持した道路線形のテンプレートに合致している場合には、車両の操舵角、ヨーレート等の走行履歴を検出して保存するようにしたので、実施例１の効果に加え、日常的に走行する環境のみならず、任意の環境における走行履歴に基づく運転者の運転技量の判定と、その判定に基づく舵角比の提供が可能となった。
【００５７】
次に、効果を説明する。
実施例２の車両用操舵制御装置にあっては、実施例１の効果(1)〜(5)に加え、以下の効果が得られる。
【００５８】
(6) ナビゲーション装置３０は、車両の走行する位置における道路線形を検出する道路線形検出回路３１を備え、運転者技量判定回路３４は、記憶された走行位置の道路線形が道路線形検出回路３１により検出された場合に、互いに類似した道路線形である複数の走行位置を走行した場合の複数回分の走行履歴に対する操舵角の極大値と、その時のヨーレートの極大値との組み合わせが一意であるほど、運転者の運転技量が高いと判定するため、熟練したドライバほど同一の線形を持つカーブにおいてはばらつきの少ない操舵を行うという運転特性に則した運転技量の判定が可能となる。
【００５９】
(7) 運転者技量判定回路４７は、記憶された操舵角の極大値と、その時のヨーレートの極大値との組み合わせが一致する複数の組み合わせを任意に選択した場合に、その組み合わせに関連付けて記憶された走行位置が、特定の走行位置、または特定の走行位置と類似した道路線形である走行位置、である確率が高いほど、運転者の運転技量が高いと判定するため、熟練したドライバほど走行位置、または道路線形に則した操舵を行うという運転特性に則した運転技量の判定が可能となる。
【実施例３】
【００６０】
図１２は、実施例３に係る車両用操舵制御装置のブロック構成図である。この図において、基本構成は図２として示した実施例１のブロック構成図および図８として示した実施例２のブロック構成図と同一であり、同符号を付して重複した説明は省略する。
【００６１】
この車両用操舵制御装置には、走行環境検出回路４０、走行履歴管理回路４５、運転者技量判定回路４７を備えている。また、走行環境検出回路４０は、路面状況検出装置４１、雨滴センサ４２、照度センサ４３および温度センサ４４を備えている。さらに、走行履歴管理回路４５は、記憶条件保持回路４６を備えている。
【００６２】
走行環境検出回路４０は、図１の走行環境検出手段１７に対応し、走行履歴管理回路４５は走行履歴管理手段１３に対応する。運転者技量判定回路４７は運転者技量判定手段１５に対応する。
【００６３】
路面状況検出装置４１は、路面の凍結等、路面状況を検出する。雨滴センサ４２は、降雨の有無を検出する。照度センサ４３は、周囲の明るさを検出する。温度センサ４４は、周囲の温度を検出する。
【００６４】
走行環境検出回路４０は、路面状況検出装置４１と、雨滴センサ４２と、照度センサ４３と、温度センサ４４の検出結果から、車両の走行している環境に関する状況を総合的に検出する。
【００６５】
次に、作用を説明する。
［舵角比設定制御処理］
図１３は、実施例３の舵角比設定制御処理の流れを示すフローチャートで、以下、各ステップについて説明する。なお、この図において、基本的な処理の流れは図３に示す実施例１の処理の流れ、および図９に示す実施例２の処理の流れと同一であり、同符号を付して重複した説明は省略する。
【００６６】
ステップS300では、走行環境検出回路４０において、車両の走行している環境に関する状況を検出し、ステップ301へ移行する。走行環境検出回路４０は、路面状況検出装置４１、雨滴センサ４２、照度センサ４３および温度センサ４４の検出結果に基づき、路面が凍結していたり、雨にぬれていたりすることによって、路面に対するタイヤのグリップが落ちている状況や、周囲の明るさを、これらセンサ類を用いて総合的に検出する。実施例３における走行環境検出回路４０おいては、路面状況を{乾燥，ウエット，凍結}の３種類のいずれかに分類し、また、周囲の明るさを｛昼，夕方，夜｝の３種類のいずれかに分類して出力するものとする。
【００６７】
ステップS301では、走行履歴管理回路４５において、ステップS100からステップS102で検出した車両の走行位置と、その時の操舵角、車両に生じているヨーレートと、ステップS200で検出した道路線形と、さらに、ステップS300で検出した路面状況と周囲の明るさとを関連付け、走行履歴記憶装置２４に保存し、ステップS302へ移行する。この際、実施例３では、車両がカーブを走行している場合に特化し、ステップS200の処理においてカーブ走行の区間を検出した場合に、その区間の車両位置を示す緯度および経度と、操舵角、ヨーレートの時系列変化と、その時々の路面状況と周囲の明るさを走行履歴として計測する。
【００６８】
一方、走行履歴管理回路４５には、記憶条件保持回路４６が備わっているが、ここには、前記走行履歴を走行履歴記憶装置２４に記憶するか否かを判断するための条件が記憶条件として保持されている。記憶条件は、例えば図１４に示すように、道路線形と周囲の明るさと路面状況に関する条件が複数個（例えば、M''個）列挙されており、前記走行履歴が前記記憶条件を満たしている場合には、前記走行履歴を走行履歴記憶装置２４に記憶する。
【００６９】
ステップS302では、走行履歴管理回路４５において、走行履歴記憶装置２４を参照し、M''個の記憶条件のそれぞれについて、走行履歴がN''個に達しているか否かを判定する。走行履歴がN''個に達していればステップS303へ移行し、走行履歴がN''個に達していなければ、リターンへ移行する。
【００７０】
ステップS303では、運転者技量判定回路２５において、運転者の運転技量を判定し、ステップS106へ移行する。運転技量の判定は、走行履歴記憶装置２４に記憶された走行履歴に基づいて、以下の３段階の処理を経て行われる。
【００７１】
まず、第１段階では、ステップS301において走行履歴記憶装置２４に記憶された走行履歴に基づいて、運転者の技量判定を行う。一般に、運転技量が熟練するほど、特定の道路線形、および、走行環境においては、運転者がステアリングホイールを操舵する操舵角と、車両に発生するヨーレートに、ばらつきが小さくなる傾向がある。そこで、実施例３では、運転者技量判定回路４７において、複数の記憶条件から任意に一つの記憶条件を選択し、その記憶条件を満たす走行履歴記憶装置２４に記憶された走行履歴として記憶されている操舵角とヨーレートの時系列変化におけるそれぞれの極大値の組（ζsi''j'',ζyi''j''）,（i''=１,２,…N'',j''は１〜M''の任意の値）を抽出する。さらに、抽出された操舵角とヨーレートのN''組の極大値について分散（σsj'',σyj''）を算出する。本分散の値が小さいほど、運転者の運転技量は高い。
【００７２】
続いて、第２段階では、ステップS301で検出して走行履歴記憶装置２４に記憶された操舵角とヨーレートの時系列変化に基づいて、運転者の技量判定を行う。一般に、運転技量が熟練するほど、運転者がステアリングホイールを操舵した操舵角の極大値と、車両に発生するヨーレートの極大値の組み合わせが同一であれば、同一の道路線形、および、同一の走行環境を走行している確率が高くなる傾向がある。そこで実施例３では、運転者技量判定回路４７において、M''個の記憶条件の中から、任意に一つの記憶条件を選択し、その記憶条件を満たして走行履歴記憶装置２４に記憶されている走行履歴の操舵角とヨーレートの時系列変化におけるそれぞれの極大値の組（ζsi''j'',ζyi''j''）,（i''=１,２,…,N'',j''=１,２,…,M''）を抽出して、カーブごとに平均値(avζsj"，avζyj")を算出する。
【数５】
2006111226.tif 000007
さらに、それぞれのカーブの平均値間(avζsj"，avζyj")についてマハラノビスの距離dk"l"（k'',l''=１,２,…,M''）を算出し、距離の全組み合わせについて和算する。本和の値が大きいほど、運転者の運転技量は高い。
【数６】
2006111226.tif 000008
【００７３】
第３段階では、第１段階および第２段階で算出した各値に基づき、運転者の運転技量を総合的に判定する。例えば、操舵角の分散と距離の和の組（σsj''  ,D''）を図５に示すマップに、ヨーレートの分散と距離の和の組（σyj''  ,D''）を図６に示すマップに参照することで、運転者の運転技量を判定する。操舵角による判定とヨーレートによる判定が異なる場合には、判定結果の悪い方を選択して判定する。運転者の技量が判定されたならば、ステップS106へ移行する。
【００７４】
以上説明したように、実施例３によれば、路面状況検出装置４１、雨滴センサ４２、照度センサ４３および温度センサ４４を備えた、走行環境検出手段としての走行環境検出回路４０によって、走行している路面の状態と周囲の明るさを検出し、また、記憶条件保持回路４６を備えた走行履歴管理手段としての走行履歴管理回路４５において、先述の走行環境の状態と道路線形が所定の条件を満たしているか否かの判定を行い、条件を満たしていれば、操舵角およびヨーレートの時系列データを走行履歴として記憶するようにし、さらに、運転者技量判定回路４７において、条件ごとに記憶された走行履歴から、個々の条件に対応する操舵角とヨーレートの極大値の分散（σsj'',σyj''）と平均値(avζsj"，avζyj")および条件間の平均値の距離Dを算出するようにしたので、実施例１および実施例２の効果に加え、運転が熟練するほど運転環境が同一条件であった場合の操舵のばらつきが少なく、かつ、条件によって操舵の仕方を変化させるという、運転者の操舵の技量に応じた特徴に基づく運転者の技量判定を実施することが可能となった。これにより、より運転者の運転技量に合致した舵角比を提供することが可能となった。
【００７５】
次に、効果を説明する。
実施例３の車両用操舵制御装置にあっては、実施例１の効果(1)〜(5)、実施例２の効果(6)，(7)に加え、下記の効果が得られる。
【００７６】
(8) 路面状況検出装置４１、雨滴センサ４２、照度センサ４３および温度センサ４４を備え、車両が走行している時の路面状況、気象状況または昼夜状況を車両の走行環境として検出する走行環境検出回路４０を備え、走行履歴管理回路４５は、過去の走行における操舵角に対するヨーレートの組み合わせを、走行位置と走行環境とに関連させて走行履歴記憶装置２４に記憶させ、運転者技量判定回路４７は、記憶された特定の走行位置とその時の走行環境、または特定の走行経路に類似した道路線形である走行位置とその時の走行環境を、複数回走行した場合の走行履歴における操舵角の極大値と、その時のヨーレートの極大値との組み合わせが一意であるほど、運転者の操舵技量が高いと判定するため、走行環境の状況も考慮した上で、熟練したドライバほど状況に即した操舵を行い、かつ、熟練したドライバほど同一の状況においてはばらつきの少ない操舵を行うという運転特性に則した運転技量の判定が可能となる。
【実施例４】
【００７７】
図１５は、実施例４に係る車両用操舵制御装置のブロック構成図である。この図において、基本構成は図２として示した実施例１のブロック構成図、および、図８として示した実施例２のブロック構成図と同一であり、同符号を付して重複した説明は省略する。
【００７８】
この車両用操舵制御装置は、走行履歴管理回路５０、運転者技量判定回路５１を備えている。運転者技量判定回路５１は、線形類似度判定回路５２を備えている。走行履歴管理回路５０は、図１の走行履歴管理手段１３に対応する。運転者技量判定回路５１は運転者技量判定手段１５に対応する。
【００７９】
線形類似度判定回路５２は、走行履歴記憶装置２４に走行履歴として記憶されているカーブ区間における、カーブの曲率半径、カーブの中心角および走行車線の幅について、類似の有無を判定する。
【００８０】
次に、作用を説明する。
［舵角比設定制御処理］
図１６は、実施例４の舵角比設定制御処理の流れを示すフローチャートで、以下、各ステップについて説明する。なお、この図において、基本的な処理の流れは図３に示す実施例１の処理の流れ、および、図９に示す実施例２の処理の流れと同一であり、同符号を付して重複した説明は省略する。
【００８１】
ステップS400では、走行履歴管理回路５０において、ステップS100からステップS102で検出した車両の走行位置、および、道路線形と、その時の操舵角、および、車両に生じているヨーレートを関連付け、走行履歴記憶装置２４に保存し、ステップS401へ移行する。この際、実施例４では、車両がカーブを走行している場合に特化し、ステップS200の処理においてカーブ走行の区間を検出した場合に、その区間の車両位置を示す緯度、および、経度と、操舵角、ヨーレートの時系列変化の履歴を走行履歴として走行履歴記憶装置２４に保存する。なお、実施例４においては、車両位置、および、道路線形と、操舵角、ヨーレートの履歴の収集は、特定のカーブ区間のみではなく、走行経路における全てのカーブ区間に対して収集する。
【００８２】
ステップS401では、走行履歴記憶装置２４を参照することで車両走行の回数をカウントし、走行回数がN(４)回に達しているか否かを判定する。実施例４における走行回数は、車両が既定の出発地を出発してから既定の目的地に到達するまでの走行を１回とする。車両が目的地に到達した時点で走行回数がN(４)回に達していればYESとしてステップS402へ移行し、走行回数がN(４)回に達していなければNOとしてリターンへ移行する。
【００８３】
ステップS402では、運転者技量判定回路５１において、運転者の運転技量の判定を実施するために必要となる道路線形の形状を、走行履歴記憶装置２４を参照することで選択し、ステップS403へ移行する。通常、出発地から目的地に到達するまでの経路には、複数のカーブが含まれている。そこで、実施例４においては、運転技量の判定を実施する道路線形をカーブとし、経路上に存在する複数のカーブ区間からM(４)個のカーブ区間を選択する。この際、選択されたカーブ区間の道路線形が極度には類似していない方が望ましい。そこで、運転者技量判定回路５１の線形類似度判定回路５１によって道路線形が類似していないカーブ区間を選択することとする。なお、線形類似度判定回路５１における道路線形の類似の判定は、ステップS200で算出して走行履歴記憶装置２４に走行履歴として記録されているカーブ区間における、カーブの曲率半径、カーブの中心角、走行車線の幅について、類似の有無を判定するものとする。
【００８４】
ステップS403では、運転者技量判定回路５１において、ステップS402で選択したM(４)個のカーブ区間をN(４)回走行した走行履歴に基づいて、運転者の運転者技量を判定し、ステップS403へ移行する。実施例４においては、以下の処理を経て、運転者の技量を判定する。
【００８５】
まず、各カーブ区間における操舵角とヨーレートの時系列データについて、極大値の組（ζsi(４)j(４),ζyi(４)j(４)）,（i(４)=１,２,…N(４),j(４)=１,２,…M(４)）を算出する。続いて、求めた操舵角とヨーレートの極大値の組、全N(４)×M(４)個のデータに対して、クラスター分析を実施する。特に、実施例４においては、公知のクラスター分析手法であるISODATAを用いる。ISODATAは教師無し分類手法のひとつであり、類似したデータの集合であるクラスを構築する過程において、暫定的に構築したクラスの分割と結合を繰り返すことによって、最終的に、最適なクラスの集合を発見的に構成する手法である。実施例４ではISODATAを適用し、実施例４で用意した全N(４)×M(４)個のデータをクラスター分析した上で、構築されたクラスの数を求める。一般に、運転技量が熟練するほど、個々の道路線形に即した、操舵角とヨーレートによって運転する傾向があり、すなわち、走行経路にM(４)個のカーブ区間が存在したならば、熟練したドライバにおいてはM(４)個に近いクラスが構成されることになる。そこで、実施例４においては、運転者技量判定回路５１に図１７に示す技量判定マップを保持し、構成されたクラスの数を本技量判定マップに参照することによって、運転者の運転技量を判定する。運転者の技量が判定されたならば、ステップS106に進む。
【００８６】
以上説明したように、実施例４によれば、線形類似度判定回路５２を備えた運転者技量判定手段としての運転者技量判定回路５１において、類似しない道路線形を複数個選択し、選択された道路線形における操舵角とヨーレートをクラスター分析して、生成されたクラスの数によって運転者の技量を判定するようにしたので、実施例１〜実施例３の効果に加え、より簡便かつ正確に運転者の運転技量の判定が可能となった。
【００８７】
次に、効果を説明する。
実施例４の車両用操舵制御装置にあっては、実施例１の効果(1)〜(5)に加え、以下の効果が得られる。
【００８８】
(9) 運転者技量判定回路５１は、記憶された特定の走行位置、または特定の走行経路に類似した道路線形である走行位置を、複数回走行した場合の走行履歴における操舵角の極大値と、その時のヨーレートの極大値との組み合わせをクラスター分析した際に生成される複数個のクラスのうち、同一クラスに分類された操舵角の極大値およびヨーレートの極大値それぞれの類似度が高く、かつ、異なるクラスに分類された操舵角の極大値およびヨーレートの極大値それぞれの非類似度が高いほど、運転者の運転技量が高いと判定するため、実施例１〜３に対し、より簡便かつ正確な運転技量の判定が可能となる。
【００８９】
（他の実施例）
以上、本発明の実施の形態を、実施例１〜４に基づいて説明したが、本発明の具体的な構成は、実施例１〜４に限定されるものではなく、発明の要旨を逸脱しない範囲の設計変更等があっても本発明に含まれる。
【００９０】
例えば、実施例３では、走行環境検出手段として、路面状況検出装置４１、雨滴センサ４２、照度センサ４３および温度センサ４４を備えた走行環境検出回路４０を設けた例を示したが、走行環境検出手段は、路面状況、気象状況または昼夜状況の少なくとも１つを走行環境として検出すれば良い。
【図面の簡単な説明】
【００９１】
【図１】本発明の実施の形態に係る車両用運転支援装置を示す図である。
【図２】実施例１に係る車両用操舵制御装置のブロック構成図である。
【図３】実施例１の舵角比設定制御処理の流れを示すフローチャートである。
【図４】実施例１におけるカーブ区間の決定方法を説明する説明図である。
【図５】実施例１における運転技量の決定方法を説明する説明図である。
【図６】実施例１における運転技量の決定方法を説明する説明図である。
【図７】実施例１における舵角比の決定方法を説明する説明図である。
【図８】実施例２に係る車両用操舵制御装置のブロック構成図である。
【図９】実施例２の舵角比設定制御処理の流れを示すフローチャートである。
【図１０】実施例２におけるカーブの線形を説明する説明図である。
【図１１】実施例２における線形類似度判定回路に収められた情報を説明する説明図である。
【図１２】実施例３に係る車両用操舵制御装置のブロック構成図である。
【図１３】実施例３の舵角比設定制御処理の流れを示すフローチャートである。
【図１４】実施例３における走行履歴記憶装置に収められた情報を説明する説明図である。
【図１５】実施例４に係る車両用操舵制御装置のブロック構成図である。
【図１６】実施例４の舵角比設定制御処理の流れを示すフローチャートである。
【図１７】実施例４における運転技量の決定方法を説明する説明図である。
【図１８】運転者の技量による操舵行動の相違を説明する説明図である。
【符号の説明】
【００９２】
１０  走行位置検出手段
１１  車両運動検出手段
１２  操舵角検出手段
１３  走行履歴管理手段
１４  走行履歴記憶手段
１５  運転者技量判定手段
１６  舵角比設定手段
１７  走行環境検出手段
２０  ナビゲーション装置
２１  ヨーレートセンサ
２２  操舵角センサ
２３  走行履歴管理回路
２４  走行履歴記憶装置
２５  運転者技量判定回路
２６  舵角比設定装置
【図１】
2006111226.tif 000009
【図２】
2006111226.tif 000010
【図３】
2006111226.tif 000011
【図４】
2006111226.tif 000012
【図５】
2006111226.tif 000013
【図６】
2006111226.tif 000014
【図７】
2006111226.tif 000015
【図８】
2006111226.tif 000016
【図９】
2006111226.tif 000017
【図１０】
2006111226.tif 000018
【図１１】
2006111226.tif 000019
【図１２】
2006111226.tif 000020
【図１３】
2006111226.tif 000021
【図１４】
2006111226.tif 000022
【図１５】
2006111226.tif 000023
【図１６】
2006111226.tif 000024
【図１７】
2006111226.tif 000025
【図１８】
2006111226.tif 000026